(57)【要約】【課題】内装する袋の上端部を被う蓋体を備えた意匠性の高い構造でありながら、持ち運びが容易であり、製造コスト及び重量を低減することができるごみ箱を提供する。【解決手段】側板ＳＰ及び底板からなる上面を開口した有底の本体２に袋Ｐを内装した状態で使用するごみ箱１であって、側板ＳＰの上端部対向面に袋Ｐの上部を掛止する掛止部９，９を設けるとともに、掛止部９，９を外側から被う一対の外側板７Ａ，７Ｂとこれら外側板８Ａ，７Ｂの上端部同士を繋ぐ連結体８とからなる、上面を開口した蓋体３を備えた。ごみ箱１の側面の蓋体３の外側板７Ａ，７Ｂで被われる部分以外は二重構造でないことから、材料を節約することができるとともに重量が軽くなり、本体２の側板ＳＰの表面に蓋体３の外側板７Ａ、７Ｂで被われない部分があるため、この部分の上部を把持することによりごみ箱１全体を持ち運ぶことができる。【選択図】図２
0003165739.tif 000002
【実用新案登録請求の範囲】
【請求項１】
側板及び底板からなる上面を開口した有底の本体に袋を内装した状態で使用するごみ箱であって、
前記側板の上端部対向面に前記袋の上部を掛止する掛止部を設けるとともに、該掛止部を外側から被う一対の外側板とこれら外側板の上端部同士を繋ぐ連結体とからなる、上面を開口した蓋体を備えてなることを特徴とするごみ箱。
【請求項２】
側板及び底板からなる上面を開口した有底の本体に袋を内装した状態で使用するごみ箱であって、
前記側板が、一対の対向する第１側板及びこれら第１側板の対向面の水平方向端縁よりも内側同士を繋いで上端部に前記袋の上部を掛止する掛止部が設けられた一対の対向する第２側板からなり、
該第２側板の外側に位置して段差を無くすように前記第１側板間に嵌る一対の対向する外側板とこれら外側板の上端部同士を繋ぐ連結体とからなる、上面を開口した蓋体を備えてなることを特徴とするごみ箱。
【請求項３】
前記側板の上部の前記外側板に被われない位置に持ち運び用穴を形成してなる請求項１又は２記載のごみ箱。
【考案の詳細な説明】
【技術分野】
【０００１】
本考案は、袋を内装した状態で使用するごみ箱の改良に関するものである。
【背景技術】
【０００２】
ポリエチレン又はポリ塩化ビニル等のプラスチック製袋を内装した状態で使用するごみ箱として、上面を開口した有底の本体に対してプラスチック製袋の上端部を外側へ折り返して内装した状態では袋の上端部が露出して見栄えが悪いため、本体の外側に上面を開口した蓋体（カバー）を設けて袋の上端部を被うようにしたもの（例えば、特許文献１及び２参照。）、さらに本体及び蓋体（被覆体）の側面に連通する持ち運び用穴を形成したもの（例えば、特許文献３参照。）等がある。
【先行技術文献】
【特許文献】
【０００３】
【特許文献１】実開昭５９−１０５２０３号公報
【特許文献２】意匠登録第１２８９８６０号公報
【特許文献３】実開昭６３−０９０６０３号公報
【考案の概要】
【考案が解決しようとする課題】
【０００４】
特許文献１〜３のような構成のごみ箱は、本体の外側に露出する袋の上端部を隠すために本体の外側面の下部までを被う蓋体を備えていることから、滑らかなすっきりとした外観であるため意匠性が高い反面、ごみ箱の側面の略全体が二重構造であるため、材料費が嵩むとともに重量が重くなる。
【０００５】
また、特許文献１及び２のような構成のごみ箱は、持ち上げると蓋体のみが抜けるため持ち運びに不便である。
これに対して特許文献３のような構成のごみ箱は、本体及び蓋体（被覆体）に連通する持ち運び用穴が形成されていることから、蓋体とともに本体を持ち上げることができるため、持ち運びが容易であるという特長がある。
しかしながら、特許文献３のような構成のごみ箱では、蓋体の持ち運び穴を本体の持ち運び穴に合わせるように本体に対してその外側の蓋体を重ねる必要があり、円筒形のごみ箱では蓋体及び本体の持ち運び穴の位置を合わせにくく、平面視正方形のごみ箱でも９０度又は１８０度位相がずれると外側の蓋体のみが持ち上がってしまうため、持ち運びを容易にするという所期の目的を達することができない。
その上、持ち運び用穴を内側の本体と外側の蓋体の両方に形成する必要があることから、持ち運び用穴の個数が多くなるためコストが増大する。
【０００６】
そこで本考案が前述の状況に鑑み、解決しようとするところは、内装する袋の上端部を被う蓋体（カバー）を備えた意匠性の高い構造でありながら、持ち運びが容易であり、製造コスト及び重量を低減することができるごみ箱を提供する点にある。
【課題を解決するための手段】
【０００７】
本考案に係るごみ箱は、前記課題解決のために、側板及び底板からなる上面を開口した有底の本体に袋を内装した状態で使用するごみ箱であって、前記側板の上端部対向面に前記袋の上部を掛止する掛止部を設けるとともに、該掛止部を外側から被う一対の外側板とこれら外側板の上端部同士を繋ぐ連結体とからなる、上面を開口した蓋体を備えてなることを特徴とする。
【０００８】
このような構成によれば、本体に内装した袋の上部が蓋体により被われて露出しないことから、滑らかなすっきりとした外観であるため意匠性が高い。
その上、側板の上端部対向面に袋の上部を掛止する掛止部が設けられていることから、袋の大小にかかわらず確実に本体に掛止して使用することができる。
その上さらに、ごみ箱側面の略全体を二重にする構成ではなく、蓋体の外側板で被われる部分以外は二重構造でないことから、特許文献１〜３のような構成のごみ箱と比較して材料を節約することができるとともに重量が軽くなる。
その上、本体の側板の表面に蓋体の外側板で被われない部分があるため、この部分の上部を把持することによりごみ箱全体を持ち運ぶことができるとともに、特許文献３のような持ち運び用穴に指を掛けてごみ箱全体を持ち運ぶ構成と比較して持ち運び用穴を形成する必要がないため製造コストを低減することができる。
【０００９】
また、本考案に係るごみ箱は、前記課題解決のために、側板及び底板からなる上面を開口した有底の本体に袋を内装した状態で使用するごみ箱であって、前記側板が、一対の対向する第１側板及びこれら第１側板の対向面の水平方向端縁よりも内側同士を繋いで上端部に前記袋の上部を掛止する掛止部が設けられた一対の対向する第２側板からなり、該第２側板の外側に位置して段差を無くすように前記第１側板間に嵌る一対の対向する外側板とこれら外側板の上端部同士を繋ぐ連結体とからなる、上面を開口した蓋体を備えてなることを特徴とする。
【００１０】
このような構成によれば、本体に内装した袋の上部が蓋体により被われて露出しないことから、滑らかなすっきりとした外観となるため意匠性が高い。
その上、第２側板の上端部に袋の上部を掛止する掛止部が設けられていることから、袋の大小にかかわらず確実に本体に掛止して使用することができる。
その上さらに、ごみ箱側面の略全体を二重にする構成ではなく、蓋体の外側板で被われる部分以外は二重構造でないことから、特許文献１〜３のような構成のごみ箱と比較して材料を節約することができるとともに重量が軽くなる。
その上、本体の第１側板の表面が蓋体で被われないため、第１側板の上部を把持することによりごみ箱全体を持ち運ぶことができるとともに、特許文献３のような持ち運び用穴に指を掛けてごみ箱全体を持ち運ぶ構成と比較して持ち運び用穴を形成する必要がないため製造コストを低減することができる。
その上さらに、蓋体の外側板が、本体の第２側板の外側に位置して段差を無くすように第１側板間に嵌るため、本体と蓋体とが一体化されたより滑らかなすっきりとした外観となるため、さらに意匠性が高くなる。
【００１１】
ここで、前記側板の上部の前記外側板に被われない位置に持ち運び用穴を形成してなると好ましい。
このような構成によれば、持ち運び用穴に指を掛けて、より容易にごみ箱全体を持ち運ぶことができるとともに、特許文献３のような内側の本体と外側の蓋体の両方に形成した持ち運び用穴に指を掛けてごみ箱全体を持ち運ぶ構成と比較して持ち運び用穴の数が少なくなるため製造コストを削減することができる。
【考案の効果】
【００１２】
以上のように、本考案に係るごみ箱によれば、本体に内装した袋の上部が蓋体により被われて露出しないことから、滑らかなすっきりとした外観であるため意匠性が高く、側板の上端部対向面に掛止部が設けられていることから、袋の大小にかかわらず確実に本体に掛止して使用することができ、蓋体の外側板で被われる部分以外は二重構造でないことから材料を節約することができるとともに重量が軽くなり、本体の側板の表面に蓋体の外側板で被われない部分があることから、この部分を把持することによりごみ箱全体を持ち運ぶことができるという顕著な効果を奏する。
【図面の簡単な説明】
【００１３】
【図１】本考案の実施の形態に係る角筒状のごみ箱の斜視図である。
【図２】蓋体のみを持ち上げた状態の分解斜視図である。
【図３】本体に袋を装着していない状態を示す同斜視図である。
【図４】（ａ）は蓋体の平面図、（ｂ）は同底面図である。
【図５】本体に形成した掛止部を示す要部拡大図であり、（ａ）は第２側板上端縁の端部にスリットを形成してこれらスリット間に突条部を形成する例を、（ｂ）は第２側板上端縁の端部に段落ち部を形成してこれら段落ち部間に突条部を形成する例を示している。
【図６】本体の側板の高さよりも蓋体の外側板の高さを短くした例を示す分解斜視図である。
【図７】本考案の実施の形態に係る丸筒状のごみ箱の斜視図である。
【図８】（ａ）は同ごみ箱の蓋体の平面図、（ｂ）は同ごみ箱の本体の平面図、（ｃ）は同ごみ箱の横断平面図である。
【考案を実施するための形態】
【００１４】
次に本考案の実施の形態を添付図面に基づき詳細に説明するが、本考案は、添付図面に示された形態に限定されず実用新案登録請求の範囲に記載の要件を満たす実施形態の全てを含むものである。
【００１５】
図１〜図３に示すように、本考案の実施の形態に係るごみ箱１は、角筒状（平面視略正方形）であり、側板ＳＰ（４Ａ，４Ｂ，５Ａ，５Ｂ）及び底板６からなる上面を開口した有底の本体２にプラスチック製、紙製又は布製等の袋Ｐを内装した状態で使用するものであり、側板ＳＰ（側板５Ａ，５Ｂ）の上端部対向面に袋Ｐの上部を掛止する掛止部９，９を設けるとともに、掛止部９，９を外側から被う一対の外側板７Ａ，７Ｂとこれら外側板７Ａ，７Ｂの上端部同士を繋ぐ連結体８とからなる、上面を開口した蓋体３を備えている。
【００１６】
図３に示すように、本体２の側板ＳＰは、一対の対向する第１側板４Ａ，４Ｂ及び第１側板４Ａ，４Ｂの対向面の水平方向端縁よりも内側同士を繋いで上端部に袋Ｐの上部を掛止する掛止部９，９が設けられた一対の対向する第２側板５Ａ，５Ｂからなり、一方の第１側板４Ａの上部に持ち運び用穴１０を形成しているが、両方の第１側板４Ａ，４Ｂの上部に持ち運び用穴１０，１０を形成してもよい。
なお、このような持ち運び用穴１０を形成しなくても、本体２の第１側板４Ａ，４Ｂの表面が蓋体３で被われないため、第１側板４Ａ，４Ｂの上部を把持することによりごみ箱１全体を持ち運ぶことができる。
【００１７】
また、蓋体３の一対の対向する外側板７Ａ，７Ｂは、本体２の第２側板５Ａ，５Ｂの外側に位置するように、第２側板５Ａ，５Ｂとの間に隙間を設けるように取り付けられ、図２に示す状態から図１に示す状態のように本体２に蓋体３を取り付けると、第１側板４Ａ，４Ｂ間に嵌って段差がなくなるように形成される。
なお、蓋体３の一対の対向する外側板７Ａ，７Ｂの内面（対向面）の下端部両側部には、合成樹脂やゴム等の緩衝材からなるガイド体７Ｃ，７Ｃが取り付けられているため、蓋体３を本体２に装着しやすいとともに、蓋体３を本体２に装着した状態で蓋体３のがたつきが防止される。
【００１８】
図３及び図４に示すように、蓋体３の連結体８は、外側板７Ａ，７Ｂ間を連結する、ごみ箱１の上面を形成する上面傾斜板８Ａ，８Ａ，…及び上面傾斜板８Ａ，８Ａの下側に位置する連結板８Ｂ，８Ｂとからなり、上面傾斜板８Ａ，８Ａ，…は、上方から袋Ｐを見えにくくするように略正方形の上端縁から内側下方へ傾斜しており、その内側端面でごみ投入用の上面開口を形成する。
【００１９】
図３及び図５（ａ）に示すように、第２側板５Ａ，５Ｂの上端部に設けられた掛止部９，９は、第２側板５Ａ，５Ｂの上端縁の端部にスリット９Ａ，９Ａを形成することにより、スリット９Ａ，９Ａ間に形成される突条部９Ｃであり、図２のように袋Ｐの上部を突条部９Ｃに掛止することができる。
掛止部９，９は、図５（ａ）の構成に限定されるものではなく、図５（ｂ）に示すような第２側板５Ａ，５Ｂの上端縁の端部に段落ち部９Ｂ，９Ｂを形成することにより、段落ち部９Ｂ，９Ｂ間に形成される突条部９Ｃに袋Ｐの上部を掛止してもよいし、第２側板５Ａ，５Ｂの上部に形成した水平長孔内へ袋Ｐの上部を挿入して掛止してもよく、あるいは第２側板５Ａ，５Ｂの上部に鉤状部を形成して袋Ｐの上部（例えば持ち手部分）を掛止するようにしてもよいし、これらと異なる構成を採用してもよい。
【００２０】
また、図６に示すように、本体２の側板ＳＰの高さ（上下方向長さ）よりも蓋体３の外側板７Ａ，７Ｂの高さ（上下方向長さ）を短くしてもよく、このように構成することに材料費を節約することができる。
さらに、ごみ箱１は、平面視略正方形に限定されるものではなく平面視略長方形であってもよいし、図７及び図８に示すような丸筒状（平面視略円形）であってよいし、平面視楕円形等の他の形状であってもよい。
【００２１】
以上のようなごみ箱１の構成によれば、本体２に内装した袋Ｐの上部が蓋体３により被われて露出しないことから、滑らかなすっきりとした外観となるため意匠性が高い。
また、蓋体３の外側板７Ａ，７Ｂが、本体２の第２側板５Ａ，５Ｂの外側に位置して段差を無くすように第１側板４Ａ，４Ｂ間に嵌るため、本体２と蓋体３とが一体化されたより滑らかなすっきりとした外観となるため、さらに意匠性が高くなる。
【００２２】
さらに、第２側板５Ａ，５Ｂの上端部に袋Ｐの上部を掛止する掛止部９，９が設けられていることから、袋Ｐの大小にかかわらず確実に本体２に掛止して使用することができる。
さらにまた、ごみ箱１側面の略全体を二重にする構成ではなく、蓋体３の外側板７Ａ，７Ｂで被われる部分以外は二重構造でないことから、特許文献１〜３のような構成のごみ箱と比較して材料を節約することができるとともに重量が軽くなる。
【００２３】
また、本体２の第１側板４Ａ，４Ｂの表面が蓋体３で被われないことから、持ち運び用穴１０を形成しなくても第１側板４Ａ，４Ｂの上部を把持することによりごみ箱１全体を持ち運ぶことができるため、持ち運び用穴１０を形成しない構成とした場合には、特許文献３のような持ち運び用穴に指を掛けてごみ箱全体を持ち運ぶ構成と比較して持ち運び用穴を形成する必要がないため製造コストを低減することができる。
さらに、本体２の側板ＳＰ上部の蓋体３の外側板７Ａ，７Ｂに被われない位置、例えば、第１側板４Ａ，４Ｂの一方又は両方の上部に持ち運び用穴１０を形成することにより、この持ち運び用穴１０に指を掛けて、より容易にごみ箱１全体を持ち運ぶことができるとともに、特許文献３のような内側の本体と外側の蓋体の両方に形成した持ち運び用穴に指を掛けてごみ箱全体を持ち運ぶ構成と比較して持ち運び用穴の数が少なくなるため製造コストを削減することができる。
【符号の説明】
【００２４】
Ｐ  袋
ＳＰ  側板
１  ごみ箱
２  本体
３  蓋体
４Ａ，４Ｂ  第１側板
５Ａ，５Ｂ  第２側板
６  底板
７Ａ，７Ｂ  外側板
７Ｃ  ガイド体
８  連結体
８Ａ  上面傾斜板
８Ｂ  連結板
９  掛止部
９Ａ  スリット
９Ｂ  段落ち部
９Ｃ  突条部
１０  持ち運び用穴
【図１】
0003165739.tif 000003
【図２】
0003165739.tif 000004
【図３】
0003165739.tif 000005
【図４】
0003165739.tif 000006
【図５】
0003165739.tif 000007
【図６】
0003165739.tif 000008
【図７】
0003165739.tif 000009
【図８】
0003165739.tif 000010